(57)【要約】【課題】使用者の好みによらずに心身をリラックスさせ、トイレを快適に使用可能とするとともに、装置の省エネ化、長寿命化を図ること。【解決手段】トイレ空間１１の酸素濃度を高める酸素濃度上昇手段１６、１７と、酸素濃度上昇手段を動作させる酸素濃度制御手段１８を有することにより、酸素によるリラックス効果を得るだけでなく、必要な時のみ酸素を供給する構成とすることで、装置の省エネ性や耐久性を向上させることができる。【選択図】図２
2005253645.tif 000002
【特許請求の範囲】
【請求項１】
トイレ空間の酸素濃度を高める酸素濃度上昇手段と、トイレ空間使用時に前記酸素濃度上昇手段を動作させる酸素濃度制御手段を有するトイレ装置。
【請求項２】
酸素供給スイッチを備え、酸素濃度制御手段は、前記酸素供給スイッチの操作によって、酸素濃度上昇手段を動作させる請求項１記載のトイレ装置。
【請求項３】
酸素供給スイッチは、トイレ空間外部に設けられた請求項２記載のトイレ装置。
【請求項４】
トイレの便座への人体の接近または着座を検知する人体検知手段を備え、酸素濃度制御手段は、前記人体検知手段の応答によって、酸素濃度上昇手段を動作させる請求項１記載のトイレ装置。
【請求項５】
トイレ空間の照明を備え、酸素濃度制御手段は、前記照明の動と連動して酸素濃度上昇手段を動作させる請求項１記載のトイレ装置。
【請求項６】
酸素濃度上昇手段は、人体顔付近に向けて、所定酸素濃度の空気を供給する請求項１〜５のいずれか１項記載のトイレ装置。
【請求項７】
便蓋を備え、酸素濃度上昇手段は、前記便蓋から所定酸素濃度の空気を供給する請求項６に記載のトイレ装置。
【請求項８】
人体頭部に装着する酸素供給装置を備え、酸素濃度上昇手段は、前記酸素供給装置から所定酸素濃度の空気を供給する請求項６に記載のトイレ装置。
【請求項９】
人体を洗浄する人体洗浄手段を備え、酸素濃度上昇手段は、前記人体洗浄手段の洗浄水へ所定酸素濃度の空気を供給する構成とした請求項１〜８のいずれか１項に記載のトイレ装置。
【発明の詳細な説明】
【技術分野】
【０００１】
本発明は、トイレ空間内でリラックスして快適にトイレを使用するためのトイレ装置に関するものである。
【背景技術】
【０００２】
従来、この種のトイレ装置は、トイレの貯水タンクに一定濃度の芳香剤を供給することで、香りを用いてトイレ空間を快適に使用することができるようにしている（例えば、特許文献１参照）。また、トイレットペーパーホルダーに音楽を鳴らす装置を設け、音を用いてトイレ空間を快適に使用することができるようにしている（例えば、特許文献２参照）。
【０００３】
図１１は、前記公報に記載された従来のトイレ装置を示すものである。図１１において、１は芳香剤を収容するボトル、２はボトル１に被冠するキャップ、３はシリンダ部、４はキャップ２とシリンダ部３を摺動することによって定量の芳香剤が滴下されるフロートスピン、５はキャップ２によるボトル１への被冠をシールするパッキンである。
【特許文献１】特開平０６−１１７００３号公報
【特許文献２】特開昭６３−１９２４１２号公報
【発明の開示】
【発明が解決しようとする課題】
【０００４】
しかしながら、前記従来の構成では、香りや音を用いてトイレ使用者をリラックスさせ、トイレ空間を快適に使用させる構成なので、使用者の好みによっては十分にリラックスができず、逆に不快に感じる可能性があるという課題を有していた。
【０００５】
本発明は、前記従来の課題を解決するもので、トイレ空間の酸素濃度を上昇させることで、使用者の好みによらずに使用者の心身をリラックスさせることを可能とし、トイレを快適に使用可能とするトイレ装置を提供すると共に、装置の省エネ化、長寿命化を図ることを目的とする。
【課題を解決するための手段】
【０００６】
前記従来の課題を解決するために、本発明のトイレ装置は、トイレ空間の酸素濃度を高める酸素濃度上昇手段と、酸素濃度上昇手段を動作させる酸素濃度制御手段を有したものである。
【０００７】
これによって、トイレ空間の酸素濃度をトイレ使用者がリラックスできるような濃度に上昇させることで、トイレを快適に使用可能となる。さらに、酸素濃度制御手段により、必要な時のみ酸素濃度上昇手段から酸素を供給する構成とすることが可能となるため、装置の省エネ性や耐久性を向上させることができる。
【発明の効果】
【０００８】
本発明のトイレ装置は、トイレ空間の酸素濃度を上昇させることで、使用者の好みによらずに使用者の心身をリラックスさせることを可能とし、トイレを快適に使用可能とすると共に、必要な時のみ酸素を供給する構成とすることで、装置の省エネ性や耐久性を向上させることができる。
【発明を実施するための最良の形態】
【０００９】
第１の発明は、トイレ空間の酸素濃度を高める酸素濃度上昇手段と、トイレ空間使用時に前記酸素濃度上昇手段を動作させる酸素濃度制御手段を有することにより、トイレ空間使用者の心身をリラックスさせ、疲れを取ることが可能な濃度の酸素をトイレ空間に供給して、トイレを快適に使用可能とすることができる。また、酸素濃度制御手段により、必要な時のみ酸素濃度上昇手段から酸素を供給する構成とすることが可能となるため、装置の省エネ性や耐久性を向上させることができる。
【００１０】
第２の発明は、特に、第１の発明の酸素濃度制御手段を、酸素供給スイッチの操作によって、酸素濃度上昇手段を動作させる構成とした。これにより使用者が酸素を必要としている時のみ酸素供給スイッチを操作して酸素を供給する構成とすることで、装置の省エネ性や耐久性を向上させることができる。
【００１１】
第３の発明は、特に、第２の発明の酸素供給スイッチを、トイレ空間の外部に設けることにより、トイレを使用する前にトイレ空間外部から、酸素濃度制御手段により酸素濃度上昇手段を動作させ、トイレ空間の酸素濃度を高めておくことができる。よって、トイレ使用時には、使用開始時にはトイレ空間内の十分な酸素濃度の上昇があり、リラックス効果や疲れを取る効果を得ることができる。
【００１２】
第４の発明は、特に、第１の発明の酸素濃度制御手段を、人体の接近またはトイレの便座への着座を検知する人体検知手段の応答によって、酸素濃度上昇手段を動作させることにより、自動的に酸素濃度上昇手段の動作を制御できるので、酸素濃度上昇手段の動作制御に使用者の手を煩わすことがなく、また、装置の止め忘れなどを防止することができる。
【００１３】
第５の発明は、特に、第１の発明の酸素濃度制御手段を、トイレ空間の照明の点灯動作や消灯動作と連動して酸素濃度上昇手段を動作させることにより、酸素濃度上昇手段の動作制御に使用者の手を煩わすことがなく、また、装置の止め忘れなどを防止することができる。
【００１４】
第６の発明は、特に、第１〜第５のいずれか１つの発明の酸素濃度上昇手段を、人体上部、より好ましくは人体顔付近に向けて、所定酸素濃度の空気を供給する構成とすることにより、トイレ空間全体の酸素濃度を高める場合と比較し、少ない酸素供給量で、より短時間で使用者が吸引する空気の酸素濃度を高めることができるので、装置の省エネ性や耐久性の向上さらに装置の小型化を図ることができる。
【００１５】
第７の発明は、特に、第６の発明の酸素濃度上昇手段を、トイレの便蓋から所定酸素濃度の空気を供給する構成とすることにより、便蓋を開状態にして、便座に使用者が着座して使用する時、もしくは、便座もあげた状態で立位での使用時にも、所定酸素濃度の空気の供給口と使用者との距離を短くできるので、酸素濃度上昇手段から供給された酸素がトイレ空間全体に拡散する前に、少ない酸素供給量でも使用者が吸引する空気の酸素濃度を高めることができるので、装置の省エネ性や耐久性の向上さらに装置の小型化を図ることができる。
【００１６】
第８の発明は、特に、第６の発明の酸素濃度上昇手段を、人体頭部に装着するように構成された酸素供給装置から所定酸素濃度の空気を供給する構成とすることにより、鼻や口の近傍から酸素を供給することが可能となるため、酸素濃度上昇手段から供給された酸素をトイレ空間全体に拡散させてしまうことなく、少ない酸素供給量でも使用者が吸引する空気の酸素濃度を短時間で高めることができるので、装置の省エネ性や耐久性の向上さらに装置の小型化を図ることができる。
【００１７】
第９の発明は、特に、第１〜８の発明の酸素濃度上昇手段を、人体洗浄手段の洗浄水へ所定酸素濃度の空気を供給するように構成としたことにより、洗浄水に混入した酸素がトイレ空間へ放出され、人体が酸素濃度の上昇した空気を吸入してリラックス効果を得られることに加えて、少ない洗浄水量でも、空気を混入することで使用者は十分な洗浄感を得ることができるので、節水や、洗浄水の加熱量の減少による省エネ効果を得ることができる。
【００１８】
以下、本発明の実施の形態について、図面を参照しながら説明する。なお、本実施の形態によって本発明が限定されるものではない。
【００１９】
（実施の形態１）
図１は、本発明の実施の形態におけるトイレ装置の概観斜視図を示すものである。
【００２０】
図１において、トイレ空間１１内には、洋式の便器１２と、本発明のトイレ装置１３と、トイレ装置の動作を操作する酸素供給スイッチ１４と、人体局部を洗浄するための温水洗浄便座装置１５が備えられている。
【００２１】
図２は、本発明の実施の形態におけるトイレ装置１３の構成図である。図２において、トイレ装置１３には、トイレ空間１１の酸素濃度を高める酸素濃度上昇手段である酸素富化膜１６と吸気ファン１７、そして、酸素濃度上昇手段である吸気ファン１７を動作させる酸素濃度制御手段１８が設けられている。そして、外気を取り入れる吸気通路１９と、酸素富化膜１６によって生成された高濃度の酸素をトイレ空間１１へ供給する酸素供給口２０と、酸素以外の成分を外部に送り出すための排気口２１と排気ファン２２と排気通路２３が設けられている。また、酸素供給口２０ａ上流には、香料タンク２４が設けられ、人をリラックスさせる効果のある森林の香りなどを貯留する構成としている。
【００２２】
図３は、本発明の実施の形態における酸素供給スイッチ１４の外観図である。図３において、酸素供給スイッチ１４には、酸素供給を開始させる運転開始スイッチ２５と、酸素供給を停止させる運転停止スイッチ２６が設けられている。また、酸素供給量を増減させる酸素供給増加スイッチ２７と酸素供給減少スイッチ２８および、現在の酸素供給レベルを表示する酸素供給目盛り２９が設けられている。
【００２３】
以上のように構成されたトイレ装置について、以下その動作、作用を説明する。
【００２４】
まず、使用者が図３に示す、酸素供給スイッチ１４の運転開始スイッチ２５を押すと、酸素供給目盛り２９が点灯して現在の酸素供給レベルを示すと共に、酸素濃度制御手段１８が吸気ファン１７を動作させることによって、矢印Ａのように外気が吸気通路１９を通って酸素富化膜１６に供給される。吸気ファン１７によって供給された外気は酸素富化膜１６を通過することになるが、この酸素富化膜１６は、空気成分のうち酸素は通過しやすいが（矢印Ｂ）、窒素等の酸素以外の分子は通過しにくい（矢印Ｃ）という性質を有するため、簡単な構成で酸素供給口２０ａから高濃度の酸素を供給することができる。
【００２５】
一方、各酸素富化膜１６の上流側には窒素等の空気成分に含まれる酸素以外の分子が多く滞留するため、長時間トイレ装置１３を運転すると、酸素分子の通過を阻害する要因となってしまう。そこで、一定時間ごとに排気ファン２２を動作させることで、各酸素富化膜１６上流に滞留する窒素等の分子を上部に設けられた排気口２１から排気する（矢印Ｄ）構成としている。そして、排気ファン２２によって排気された窒素等の分子は排気通路２３を通りトイレ空間１１外部に放出されるため、トイレ空間１１に不要な空気成分を供給しないことで、トイレ空間１１全体の酸素濃度を高めることができる。高濃度の酸素、例えば２０〜３５％の酸素には、人間をリラックスさせ、疲れを癒す効果があるので、トイレ空間を快適に使用することが可能となる。なお、トイレ空間１１は、他の部屋と比べて狭いため、このトイレ装置１３をトイレ空間１１に用いることにより、他の部屋に用いる場合と比べて容易に酸素濃度をあげることができる。よって、トイレでゆっくりリフレッシュしたい、あるいは、トイレでじっくり考え事をしたいといったニーズを捉えることができる。さらに、リラックス効果に加えて、トイレ空間にて酸素を富化し濃度を高めた空気を吸引することにより、便意を促進されて快便効果を得ることも可能となる。
【００２６】
また、人をリラックスさせる効果のある森林の香りなどを香料タンク２４に貯留し、貯留した香りを、酸素供給口２０からトイレ空間１１に供給する高濃度の酸素に、一定量混ぜる（矢印Ｆ）構成としているため、酸素によるリラックス効果に加えて香りによるリラックス効果を得ることができるので、より快適にトイレを使用することが可能となる。森林の香り以外にも、他の個人の嗜好に添うような香りを選択して、快適感や他の香りの効能を得ることも可能であるし、酸素濃度を高めた空気に混入することで、酸素富化空気が周囲の空気と識別可能となり、意識して吸引することも可能である。
【００２７】
また、酸素富化膜１６の上流に設けられた吸気通路１９と吸気ファン１７によって、外部の新鮮な空気を元に高濃度の酸素を生成する構成とすることで、トイレ空間１１の酸素濃度をコントロールしやすいだけでなく、トイレ空間１１内の空気成分（アンモニアなど）によるトイレ装置１３、特に酸素富化膜１６への悪影響を生じないようにしている。なお、図４に示すように、吸気通路１９の代わりにトイレ空間１１のアンモニアなどの空気成分を除去する脱臭装置３０を酸素富化膜１６の上流に設ける構成としてもよい。この場合でも、脱臭装置３０によって清浄化された空気を元に高濃度の酸素を生成することができるので、外気を取り込む場合と同様に、トイレ空間１１内の空気成分による悪影響を防止することができる。
【００２８】
トイレ装置１３の運転中に使用者が酸素供給スイッチ１４の酸素供給増加スイッチ２７または酸素供給減少スイッチ２８を押すことにより、酸素濃度制御手段１８が、吸気ファン１７の回転を加速または減速させることで、トイレ空間１１への酸素供給量を加減することができる。また、現在の酸素供給レベルを、酸素供給目盛り２９に表示することで、使用者が視覚的に現在の酸素供給レベルを認識することができる。
【００２９】
そして、使用者が酸素供給スイッチ１４の運転停止スイッチ２６を押すことで、酸素供給目盛り２９が消灯すると共に、酸素濃度制御手段１８が吸気ファン１７を停止させる。このように、トイレ装置１３の運転状況に合わせて、酸素供給目盛り２９が点灯動作と消灯動作を行うことにより、現在トイレ装置１３が運転状態にあるか否かを使用者が視覚的に認識することができるので、装置の止め忘れ防止効果を得ることができる。
【００３０】
以上のように、本実施の形態においては、トイレ空間１１の酸素濃度を高める酸素濃度上昇手段である酸素富化膜１６および吸気ファン１７と、吸気ファン１７を動作させる酸素濃度制御手段１８を有することにより、使用者の心身をリラックスさせ、疲れを取ることが可能な濃度の酸素、例えば２０〜３５％の酸素をトイレ空間に供給して、トイレを快適に使用可能とすることができると共に、酸素濃度制御手段１８が、酸素供給スイッチ１４の操作によって、吸気ファン１７を動作させる構成とし、使用者が酸素を必要としている時のみ酸素を供給する構成とすることで、装置の省エネ性や耐久性を向上させることができる。
【００３１】
また、本実施の形態では、トイレ空間１１内部に酸素供給スイッチ１４を設ける構成としたが、トイレ空間１１外部に酸素供給スイッチ１４を設ける構成とし、トイレ酸素濃度制御手段１８が、トイレ空間１１外部に設けられた酸素供給スイッチ１４の操作によって、酸素濃度上昇手段である吸気ファン１７を動作させる構成としてもよい。この場合、トイレを使用する前に酸素濃度制御手段１８により吸気ファン１７を動作させることで、トイレ空間１１の酸素濃度を高めておくことができるので、トイレ使用開始時からリラックス効果や疲れを取る効果を得ることができる。また、本実施の形態では、酸素供給スイッチ１４をトイレ装置１３とは別体に設ける構成としたが、トイレ装置１３に酸素供給スイッチ１４を設け、部品点数の削減を図る構成としてもよい。あるいは、温水洗浄便座装置１５本体、または、温水洗浄便座装置１５用リモコン（図示せず）に酸素供給スイッチ１４を設け、部品点数の削減を図る構成としてもよい。なお、温水洗浄便座装置１５は必須のものではなく、温水洗浄便座１５がない場合でもトイレ装置１３により、酸素によるリラックス効果を得ることができる。
【００３２】
また、本実施の形態では、トイレ空間１１全体の酸素濃度を高める構成としたが、酸素供給口２０ａを人体上部、より好ましくは人体顔付近の方向に向けることで、酸素濃度上昇手段である酸素富化膜１６によって高められた所定濃度の酸素、例えば２０％〜３５％の酸素が人体上部、より好ましくは人体顔付近に供給される。この場合、トイレ空間１１全体の酸素濃度を高める必要がなく、人体上部、より好ましくは人体顔付近の酸素濃度を高めるだけでよいため、トイレ空間１１全体の酸素濃度を高める場合と比較し、少ない酸素供給量で、さらに短時間で、使用者が吸引する空気の酸素濃度を高めることが可能で、装置の省エネ性や耐久性の向上さらに装置の小型化を図ることができる。また、同様の理由から、香料タンク２４の小型長寿命化を図ることもできる。
【００３３】
さらに、トイレ空間１１全体の平均酸素濃度を高める必要がないため、吸気通路１９および排気通路２３をトイレ空間１１外部と連通させる必要がないので、トイレ装置１３の設置を容易にすることができる。この場合、図５のように、吸気通路１９はトイレ空間１１の空気を吸入し、所定濃度に高められた酸素は酸素供給口２０ａから、酸素以外の成分は排気通路２３からそれぞれトイレ室内に送り出される構成となる。この結果、トイレ空間１１全体の平均酸素濃度はトイレ装置１３が動作しても変わらないが、人体上部、より好ましくは人体顔付近のトイレ空間の酸素濃度は高めることができるので、使用者が酸素によるリラックス効果を得ることができる。なお、図５のような形態の際は、排気通路２３は、人体上部、特に人体顔付近以外、より好ましくは反対側に向けて酸素以外の成分を送り出す構成とすることが望ましい。
【００３４】
なお、本実施の形態では、トイレ装置１３を温水洗浄便座装置１５と別体に設ける構成としたが、一体構成としてもよい。また、本実施の形態では、酸素濃度上昇手段として、酸素富化膜１６を用いる構成としたが、酸素ボンベや、電気分解装置などにより、酸素を得る構成としてもよい。
【００３５】
（実施の形態２）
図６は本発明の第２の実施の形態のトイレ装置の概観斜視図である。第１の実施の形態に示した図１と異なる点は、人体の接近（存在）を検知する熱検知式の人体検知手段３１がトイレ装置１３に設けられ、酸素濃度制御手段１８は、人体検知手段３１の応答によって、酸素濃度上昇手段である吸気ファン１７の動作を開始あるいは停止する点である。その他は図１に示した実施の形態１と同様であり、同一番号を付して詳細な説明を省略する。
【００３６】
以上のように構成されたトイレ装置について、以下その動作、作用を説明する。
【００３７】
トイレ空間１１に使用者が入室すると、人体検知手段３１は、使用者の体温を検知することで、人体の接近（存在）を検知し、それに応じて酸素濃度制御手段１８が、酸素濃度上昇手段である吸気ファン１７の動作を開始する。そして、実施の形態１と同様にして、トイレ空間１１内の酸素濃度が高まることにより、使用者が酸素によるリラックス効果を得ることができる。
【００３８】
そして、使用者がトイレ使用後、トイレ空間１１から退室すると、人体検知手段３１がトイレ空間１１内に人体が存在しないことを検知し、それに応じて酸素濃度制御手段１８が、吸気ファン１７を自動的に停止させる。
【００３９】
以上のように、本実施の形態では、自動的に酸素濃度上昇手段である吸気ファン１７の動作を制御できるので、吸気ファン１７の動作制御に使用者の手を煩わすことがなく、また、装置の止め忘れなどを防止することができる。
【００４０】
ここで、本実施の形態では、人体検知手段３１は、人体の接近（存在）を検知する構成としたが、人体が便座３２に着座したことを検知する構成としてもよい。この場合でも、トイレ使用時に自動的に吸気ファン１７の動作を開始させ、使用後に自動的に停止させることができる。なお、本実施の形態では、人体検知手段として、熱検知式のセンサーを用いたが、赤外線センサーや圧力センサーあるいはドアノブ開閉センサーなど別の検知方式を用いても人体の接近（存在）あるいは便座３２への着座を検知可能であれば問題ない。
【００４１】
また、本実施の形態では、人体検知手段３１をトイレ装置１３に設ける構成としたが、トイレ装置１３と別体に設け、より確実に人体を検知できる構成としてもよい。また、温水洗浄便座１５に人体の接近あるいは便座３２への着座を検知する人体検知手段（図示せず）が設けられている場合は、トイレ装置１３の人体検知手段３１と共用化してもよい。
【００４２】
また、実施の形態１のように、酸素供給量を増減させる酸素供給増加スイッチ２７と酸素供給減少スイッチ２８および、現在の酸素供給レベルを表示する酸素供給目盛り２９を設け、酸素供給量を自由に変更できる構成としても良い。
【００４３】
（実施の形態３）
図７は本発明の第３の実施の形態のトイレ装置の概観斜視図である。第１の実施の形態に示した図１と異なる点は、トイレ空間１１内にトイレ空間１１を照らすためのトイレ室内灯４１が設けられ、酸素濃度制御手段１８は、トイレ室内灯４１の点灯動作や消灯動作と連動して、酸素濃度上昇手段である吸気ファン１７の動作を開始あるいは停止する点である。その他は図１に示した実施の形態１と同様であり、同一番号を付して詳細な説明を省略する。
【００４４】
以上のように構成されたトイレ装置について、以下その動作、作用を説明する。
【００４５】
使用者が、トイレを使用する際に、トイレ室内灯スイッチ（図示せず）を入れることにより、トイレ室内灯４１が点灯すると、トイレ室内灯４１とトイレ装置１３を結ぶリード線４２を通り、トイレ装置１３に信号が送られることで、酸素濃度制御手段１８が、酸素濃度上昇手段である吸気ファン１７の動作を開始する。そして、実施の形態１と同様にして、トイレ空間１１内の酸素濃度が高まることにより、使用者が酸素によるリラックス効果を得ることができる。
【００４６】
そして、使用者がトイレ使用後、トイレ室内灯スイッチ（図示せず）を切ることにより、トイレ室内灯４１が消灯すると、その消灯動作と連動して酸素濃度制御手段１８が、吸気ファン１７を自動的に停止させる。
【００４７】
以上のように、本実施の形態では、トイレ室内灯４１の点灯動作や消灯動作と連動して、自動的に酸素濃度上昇手段である吸気ファン１７の動作を制御できるので、吸気ファン１７の動作制御に使用者の手を煩わすことがなく、また、装置の止め忘れなどを防止することができる。
【００４８】
なお、本実施の形態では、リード線４２を用いてトイレ室内灯４１の点灯動作と消灯動作を知らせる構成としたが、赤外線などを利用した無線式や、トイレ室内１１の明るさを検知する光センサを用いる構成とすることで、トイレ室内のデザイン性を向上させることもできる。
【００４９】
また、実施の形態１のように、酸素供給量を増減させる酸素供給増加スイッチ２７と酸素供給減少スイッチ２８および、現在の酸素供給レベルを表示する酸素供給目盛り２９を設け、酸素供給量を自由に変更できる構成としても良い。さらに、運転開始スイッチ２５と、運転停止スイッチ２６を設けてもよい。この場合、昼間などトイレ室内灯４１を用いない場合でも、トイレ装置１３を動作させることができる。
【００５０】
（実施の形態４）
図８は本発明の第４の実施の形態のトイレ装置の概観斜視図である。第１の実施の形態に示した図１と異なる点は、酸素供給口２０ｂが便蓋５１に設けられると共に、酸素供給口２０ｂとトイレ装置１３を連通する酸素通路５２が設けられており、酸素濃度上昇手段である酸素富化膜１６によって所定濃度まで高められた酸素を便蓋５１に設けられた酸素供給口２０ｂから人体上部、より好ましくは人体顔付近に向けて供給する点である。その他は図１に示した実施の形態１と同様であり、同一番号を付して詳細な説明を省略する。
【００５１】
以上のように構成されたトイレ装置について、以下その動作、作用を説明する。
【００５２】
まず、使用者が酸素供給スイッチ１４の運転開始スイッチ２５を押すことで、濃度を高められた酸素は、酸素通路５２を通り便蓋５１に設けられた酸素供給口２０ｂから人体上部より好ましくは人体顔付近に供給される。そして、実施の形態１と同様にして、使用者が吸い込む空気の酸素濃度が高まることにより、使用者は酸素によるリラックス効果を得ることができる。
【００５３】
ここで、トイレの便蓋５１から所定酸素濃度の空気を供給する構成とすることにより、酸素供給口２０ｂと使用者との距離が短いことから、酸素供給口２０ｂから供給された酸素がトイレ空間１１に拡散してしまうことを防ぐことが可能となり、少ない酸素供給量でも使用者が吸引する空気の酸素濃度を高めることができるので、装置の省エネ性や耐久性の向上さらに装置の小型化を図ることができる。さらに、トイレ空間１１全体の平均酸素濃度を高める必要がないため、吸気通路１９および排気通路２３をトイレ空間１１外部と連通させる必要がないので、トイレ装置１３の設置を容易にすることができる。この場合、実施の形態１の図５と同様に、吸気通路１９はトイレ空間１１の空気を吸入し、所定濃度に高められた酸素は酸素供給口２０ｂから、酸素以外の成分は排気通路２３からそれぞれトイレ室内に送り出される構成となる。この結果、トイレ空間１１全体の平均酸素濃度はトイレ装置１３が動作しても変わらないが、人体上部、より好ましくは人体顔付近のトイレ空間の酸素濃度は高めることができるので、使用者が酸素によるリラックス効果を得ることができる。
【００５４】
なお、本実施の形態では、操作スイッチ１４を設け、使用者が手動で吸気ファン１７の動作を制御する構成としたが、実施の形態２または３のように自動的に吸気ファン１７の動作を制御する構成としてもよい。
【００５５】
（実施の形態５）
図９は本発明の第５の実施の形態のトイレ装置の構成図である。第４の実施の形態に示した図８と異なる点は、酸素供給口２０ｃが、人体頭部６５に装着するように構成された酸素供給装置６１に設けられると共に、酸素供給口２０ｃとトイレ装置１３を連通する酸素通路６２が設けられており、酸素濃度上昇手段である酸素富化膜１６によって所定濃度まで高められた酸素を酸素供給装置６１に設けられた酸素供給口２０ｃから人体の鼻６３や口６４に向けて供給する点である。酸素供給装置６１は人体頭部６５へ装着するためのヘッドホン状の支持部６６と、人体の鼻６３や口６４の近傍に設けられた酸素供給部６７から構成されており、酸素供給口２０ｃは、酸素供給部６７の人体の鼻６３や口６４の方向に設けられている。その他は図８に示した実施の形態４と同様であり、同一番号を付して詳細な説明を省略する。
【００５６】
以上のように構成されたトイレ装置について、以下その動作、作用を説明する。
【００５７】
まず、使用者が酸素供給スイッチ１４の運転開始スイッチ２５を押すことで、濃度を高められた酸素は、酸素通路６２を通り、酸素供給装置６１の酸素供給部６７に設けられた酸素供給口２０ｃから人体の鼻６３や口６４に向けて供給される。そして、実施の形態１と同様にして、使用者が吸い込む空気の酸素濃度が高まることにより、使用者は酸素によるリラックス効果を得ることができる。
【００５８】
ここで、人体の鼻６３や口６４の近傍に設けられた酸素供給部６７から所定酸素濃度の空気を供給する構成とすることにより、酸素供給口２０ｃと使用者の鼻６３や口６４との距離が短いことから、酸素濃度上昇手段から供給された酸素がトイレ空間１１に拡散してしまうことを防ぐことが可能となり、少ない酸素供給量でも使用者が吸引する空気の酸素濃度を高めることができるので、装置の省エネ性や耐久性の向上さらに装置の小型化を図ることができる。さらに、トイレ空間１１全体の平均酸素濃度を高める必要がないため、吸気通路１９および排気通路２３をトイレ空間１１外部と連通させる必要がないので、トイレ装置１３の設置を容易にすることができる。この場合、実施の形態１の図５と同様に、吸気通路１９はトイレ空間１１の空気を吸入し、所定濃度に高められた酸素は酸素供給口２０ｃから、酸素以外の成分は排気通路２３からそれぞれトイレ室内に送り出される構成となる。この結果、トイレ空間１１全体の平均酸素濃度はトイレ装置１３が動作しても変わらないが、人体上部、より好ましくは人体顔付近のトイレ空間の酸素濃度は高めることができるので、使用者が酸素によるリラックス効果を得ることができる。
【００５９】
なお、本実施の形態では、操作スイッチ１４を設け、使用者が手動で吸気ファン１７の動作を制御する構成としたが、実施の形態２または３のように自動的に吸気ファン１７の動作を制御する構成としてもよい。
【００６０】
（実施の形態６）
図１０は本発明の第６の実施の形態のトイレ装置の構成図である。温水洗浄便座装置１５は、内部に熱交換器７１を備え、熱交換された温水が人体洗浄手段である洗浄ノズル７２から噴出して人体７３の局部を洗浄するものである。さらに、主要部品として遮断弁７４と流量制限装置７５を備えている。その他、制御基盤などの部品は、省略する。図８において、第１の実施の形態に示した図１と異なる点は、酸素供給口２０ｄが洗浄ノズル７２の上流に設けられ、酸素濃度上昇手段である酸素富化膜１６によって所定濃度まで高められた酸素を、人体７３局部を洗浄する洗浄水へ供給する点である。その他は図１に示した実施の形態１と同様であり、同一番号を付して詳細な説明を省略する。
【００６１】
以上のように構成されたトイレ装置について、以下その動作、作用を説明する。
【００６２】
使用者が温水洗浄便座操作部（図示せず）を操作し、人体７３の局部への洗浄を開始すると、遮断弁７４が開き、洗浄水が温水洗浄便座装置１５に供給される。温水洗浄装置１５に供給された洗浄水は、熱交換器７１によって加熱され、流量制限装置７５により望みの流量に調整されて、洗浄ノズル７２から噴出されることにより、人体７３の局部を洗浄するものである。ここで、洗浄ノズル７２の上流に設けられた酸素供給口２０ｄから、酸素濃度上昇手段１６、１７によって所定の濃度まで高められた酸素が洗浄水に混入される構成となっている。このことにより、洗浄水を出水し、所定の濃度の酸素がトイレ空間に放出されると、トイレ使用者が酸素によるリラックス効果を得られる。それに加えて、少ない洗浄水量でも、気体を混入することで使用者は十分な洗浄感を得ることができるので、節水や、洗浄水の加熱量の減少による省エネ効果を得ることができる。
【００６３】
なお、本実施の形態では人体洗浄手段の洗浄水にのみ所定濃度の酸素富化空気を混入させる構成であるが、これと並行して、例えば、実施の形態４に示したような酸素供給口２０ｂを便蓋に設けた構成を設けても、さらに、トイレ空間の、特に人体の頭部、顔付近の酸素濃度を上昇させられるので、より効率よく、酸素によるリラックス効果を得られる。
【産業上の利用可能性】
【００６４】
以上のように、本発明にかかるトイレ装置は、トイレ空間の酸素濃度を上昇させることで、使用者の好みによらずに使用者の心身をリラックスさせることを可能とし、トイレを快適に使用可能とすると共に、必要な時のみ酸素を供給する構成とすることで、装置の省エネ性や耐久性を向上させることができるので、個室空間でリラックスを促進する装置として他の空間に適用することも可能である。
【図面の簡単な説明】
【００６５】
【図１】本発明の実施の形態１におけるトイレ装置の概観斜視図
【図２】同トイレ装置の構成図
【図３】同酸素供給スイッチの外観図
【図４】同トイレ装置の他の実施の形態を示すトイレ装置の概観斜視図
【図５】同トイレ装置の他の実施の形態を示すトイレ装置の概観斜視図
【図６】本発明の実施の形態２におけるトイレ装置の概観斜視図
【図７】本発明の実施の形態３におけるトイレ装置の概観斜視図
【図８】本発明の実施の形態４におけるトイレ装置の概観斜視図
【図９】本発明の実施の形態５におけるトイレ装置の構成図
【図１０】本発明の実施の形態６におけるトイレ装置の構成図
【図１１】従来のトイレ装置の断面図
【符号の説明】
【００６６】
１１  トイレ空間
１３  トイレ装置
１４  酸素供給スイッチ
１６  酸素富化膜（酸素濃度上昇手段）
１７  吸気ファン（酸素濃度上昇手段）
１８  酸素濃度制御手段
３１  人体検知手段
３２  便座
４１  トイレ室内灯（照明）
５１  便蓋
６１  酸素供給装置
６６  人体頭部
７２  洗浄ノズル（人体洗浄手段）
【図１】
2005253645.tif 000003
【図２】
2005253645.tif 000004
【図３】
2005253645.tif 000005
【図４】
2005253645.tif 000006
【図５】
2005253645.tif 000007
【図６】
2005253645.tif 000008
【図７】
2005253645.tif 000009
【図８】
2005253645.tif 000010
【図９】
2005253645.tif 000011
【図１０】
2005253645.tif 000012
【図１１】
2005253645.tif 000013